(57)【要約】【課題】重ね着をしても下に着た衣服に施した模様や絵柄や彩色等が、その上から衣服を着けていても見ることができるようにすることで、コーディネートのバリエーションを増やすことができるようにすること。【解決手段】上に着る衣服に穴部を設け、模様や絵柄や彩色等を施した下に着けた衣服の上に重ねて着ることで、上に着る衣服に設けた穴部を通して下に着ている衣服に施した模様や絵柄や彩色を見ることができる。【選択図】　　図１
2004092003.tif 000002
【特許請求の範囲】
【請求項１】
Ｔシャツ等に模様（４）や絵柄や彩色やデザイン等を施し、下に着る衣服（３）として身につけ、その上から穴部（２）を設けた上に着る衣服（１）を重ね着することにより、下に着る衣服（３）に施された模様（４）や絵柄や彩色やデザイン等が、上に着る衣服（１）に設けた穴部（２）を通して見ることができ、コーディネートできるように為された穴部（２）を設けた衣服。
【発明の詳細な説明】
【０００１】
【発明の属する技術分野】
本発明は、Ｔシャツ等の衣服を重ねて着ることで、下に着た衣服に施された模様や絵柄や彩色やデザイン等を、上に着た衣服に設けた穴部を通して見ることができ、コーディネートできるように為された穴部を設けた衣服に関する。
【０００２】
【従来の技術】
従来は、本発明のような衣服はなく、上に着る衣服が透けているか、格子状や水玉状に穴部が設けられていても、それは上に着る衣服のファッション性によるもので、下に着る衣服と組み合わせて透けている部分や穴部から下に着た衣服を見せて意図的にコーディネートするものではなく、たまたま透けている部分や穴部から下に着る衣服が見えていただけなのであった。
【０００３】
【発明が解決しようとする課題】
従来は、下に着る衣服と上に着る衣服を組み合わせて重ね着をし、下に着た衣服に施された模様や絵柄や彩色やデザイン等、上に着る衣服に設けられた穴部から表面に現して意図的にコーディネートするような衣服はなく、特にＴシャツは異なった模様や絵柄や彩色やデザイン等を一枚ずつ身に着け、替えることができず、上に着た衣服の透けている部分や格子状や水玉状の穴部からたまたま見えるような衣服では、見える部分を隠したり、彩色を施された衣服を着るだけであり、これでは、上に着る衣服と下に着る衣服を組み合わせて意図的に絵柄や色や文字等を浮かび上がらせることはできなかったこともあり、上に着る衣服は独立したものであるので、下に着る衣服を替えても昨日着た衣服を今日も着ていると認識されがちであった。
【０００４】
【課題を解決するための手段】
下に着る衣服と上に着る衣服を重ね着することを前提として、上に着る衣服に穴部を設け、あらかじめその穴部から見えることを考慮しながら下に着る衣服に絵柄や色や文字を施すことにより、下に着る衣服に施した模様や絵柄や彩色やデザイン等を上に着る衣服に設けた穴部を通して見せることができ、下に着る衣服を替えることで毎回違うコーディネートができるようになるのである。
【０００５】
【発明の実施の形態】
本発明は、衣服を重ね着しても、下に着る衣服に施された模様や絵柄や色や文字等を上に着る衣服の穴部を通して外から見ることができるように、上に着る衣服に穴部を設けるのである。
【０００６】
上に着る衣服に設ける穴部は、一ヶ所設けても複数設けても良いのであり、衣服の種類に合わせると効果的である。
【０００７】
上に着る衣服に設ける穴部の大きさは、小さくても大きくても良いのであり、衣服の種類に合わせると効果的である。
【０００８】
上に着る衣服に設ける穴部の形状は、どのような形状でも良く、三角形であっても円形であっても幾何学模様であっても良いのであり、衣服の種類により決めると効果的である。
【０００９】
上に着る衣服に設ける穴部の位置は、胴体部に設けても腕部に設けてもどこに設けても良いのであり、衣服の種類に合わせて設けると効果的である。
【００１０】
上に着る衣服に設ける穴部は、上述してきた形態で実施されるが、穴部を通して下に着けている衣服の一部を外部から見えるようにすることによりコーディネートすることを目的としているのであるから、穴部の大きさ、形状、数、位置は、下に着る衣服との組み合わせを考慮すると効果的である。
【００１１】
上に着る衣服に文字や動物やキャラクター物の穴部を設けることにより、下に着る衣服に色がついているだけでも、穴部を通して外部からはその形が浮かび上がって見えるようになり効果的である。
【００１２】
本発明は、衣服を重ね着してコーディネートするのでどのような衣服であっても良いのであるが、特にラフでカジュアルなＴシャツに使用すると穴部を設けやすいし、Ｔシャツの組み合わせによりコーディネートできるので効果的である。
【００１３】
上に着る衣服に設けた穴部の付近は、糸がほつれやすく破れやすいので、シリコーン樹脂やポリエチレン樹脂等でコーティングしたり、糸で縫ったりして補強すると効果的である。
【００１４】
下に着る衣服にパッチワークやリボン等立体的厚みがあるものを取りつけ、上に着る衣服の穴部から表面に現れるようにすることもできるのである。
【００１５】
下に着る衣服の一部を上に着る衣服に設けた穴部から表面に現れるように位置を決めた場合、決めた位置がずれないように身に着けたあとピン等で留めるとズレにくくなるので効果的である。
【００１６】
上に着る衣服に設けた穴部をメッシュ状にしたり、透明なフィルムを取りつけることで、コーディネートのバリエーションを増やすことができるのである。
【００１７】
本発明は、主に上に着る衣服と下に着る衣服の二枚の重ね着により使用されるが、中に挟まれる衣服にも穴部を設けることにより、三枚重ね以上の重ね着にも使用でき、上に着る衣服・中に着る衣服・下に着る衣服の組み合わせで、より一層複雑なコーディネートが楽しめるのである。
【００１８】
【実施例】
実施例について図面を参照して説明すると、図１において、上に着る衣服（１）に穴部（２）を設ける。
【００１９】
図２に示す実施例では、下に着る衣服（３）に模様（４）・絵柄・彩色・デザイン等を施し、その上に、上に着る衣服（１）を重ね着することにより、図３に示すように、下に着る衣服（３）に施した模様（４）や絵柄・彩色・デザイン等が上に着る衣服（１）に設けた穴部（２）を通して外部から見ることができるようになるのである。
【００２０】
上に着る衣服（１）に設けた穴部（２）に透明フィルムを貼りつけたり、メッシュ状の布を貼りつけても良いのである。
【００２１】
下に着る衣服（３）には、模様（４）や絵柄・彩色・デザイン等を平面的に施す以外に、パッチワークやリボン等立体的なものを取りつけ、上に着る衣服（１）に設けた穴部（２）から外側に出すこともできる。
【００２２】
本発明は、上に着る衣服（１）と下に着る衣服（３）の二枚の重ね着のほか、間に着る衣服にも穴部（２）を設けることで、複数枚の重ね着にも利用することができる。
【００２３】
上に着る衣服（１）に設けた穴部（２）は、重ね着をしたとき、下に着る衣服（３）に施された模様（４）や絵柄・彩色・デザイン等が穴部（２）を通して外部から見ることができれば、設ける位置・形状・個数・大きさ等はどのようなものであっても良いのであり、本考案は、上に着る衣服（１）の穴部（２）の設ける位置・設ける個数・デザイン・意匠を述べているものではないのである。
【００２４】
【発明の効果】
本発明は、以上説明したような形態で実施され、以下に記載されるような効果を奏する。
【００２５】
本発明は、上に着る衣服に穴部を設けることにより、下に着る衣服に施した模様や絵柄・彩色・デザイン等を穴部を通して外部から見ることができるようになるので、重ね着をしてコーディネートを楽しむことができるのである。
【００２６】
本発明は、下に着る衣服に模様や絵柄・彩色・デザイン等を施し、間に着る衣服に絵柄・彩色・デザイン等を施し併せて穴部を設け、上に着る衣服にも模様や絵柄・彩色・デザイン等を施し併せて穴部を設けることにより、さらに複雑なコーディネートが楽しめる。
【００２７】
本発明は、どのような衣服においても利用することができるが、特にラフでカジュアルな衣服であるＴシャツに使用することにより、既製のＴシャツでも自分なりのコーディネートが楽しめるのである。
【００２８】
本発明は、下に着る衣服に平面的な模様や絵柄・彩色・デザイン等を施すだけでなく、パッチワークやリボン等立体的なものを取りつけ、上に着る衣服に設けた穴部から出すことにより、立体的なコーディネートも楽しむことができるのである。
【００２９】
本発明は、穴部を設ける位置・設ける個数・形状に制限がないため、無数の組み合わせが考えられ、例えば、下に着る衣服には彩色を行い、上に着る衣服に設ける穴部の形を文字形にするなど、下に着る衣服の色を変えたり、上に着る衣服に設けた穴部の形を変えることにより、一層のコーディネートが楽しめるのである。
【図面の簡単な説明】
【図１】上に着る衣服の実施例図である。
【図２】本発明の使用状態を示す実施例図である。
【符号の説明】
１　上に着る衣服
２　穴部
３　下に着る衣服
４　模様
【図１】
2004092003.tif 000003
【図２】
2004092003.tif 000004
【図３】
2004092003.tif 000005
【手続補正書】
【提出日】平成14年11月11日(2002.11.11)
【手続補正１】
【補正対象書類名】明細書
【補正対象項目名】図面の簡単な説明
【補正方法】変更
【補正の内容】
【図面の簡単な説明】
【図１】上に着る衣服の実施例図である。
【図２】下に着る衣服の実施例図である。
【図３】本発明の使用状態を示す図である。
【符号の説明】
１　上に着る衣服
２　穴部
３　下に着る衣服
４　模様